(57)【要約】      （修正有）【課題】アイロン掛けの前段階においてスチームのシワ除去機能により対象物のシワを伸ばした後で、新たに意図しないシワ等が発生していないかを確認して、後段階において主に加熱処理によりシワを除去して整形するアイロン掛けができるスチームアイロンを提供する。【解決手段】アイロン本体１の中間（中）央部に透明強化ガラスや耐熱プラスチック等で構成する（小）窓３を設け、且つ、必要に応じてその窓の片横・低所に照射ライト５を配した構成により、新たに発生するシワ等の発見が容易により、アイロンベース２の前段処理部分２ａから（中）央部および後段処理部分２ｂまでを通したアイロン掛け作業全体でシワをのばして整形する作業を容易化することができる。【選択図】図２
2015008993.tif 000002
【特許請求の範囲】
【請求項１】
衣類等のスチームアイロン掛けにおいて、対象物に存在するシワやスジ等を主にのばすことを目的としたスチーム噴射吹付け機能と電気ヒーターで加熱する機能とを底面ベース２の前段処理部２ａに設け、
次いで、その前段部において意図しないシワ等が新たに付け加わっていないかを速やかに発見して対処できるように、アイロン本体の中間（中）央部（前段２ａと後段２ｂとの間）に目視点検用の（小）窓３を設け、
さらに、その後段部２ｂにおいてスチームの再噴射と電気ヒーターによる主加熱・整形機能を設ける、
ことにより、前段部２ａから中間点検窓３および後段部２ｂまでを通したアイロン掛け作業の全体で対象物に存在したシワ等を除去し、折り目等を整えて整形することが可能な「点検窓付きスチームアイロン」
【発明の詳細な説明】
【技術分野】
【０００１】
本発明は、水蒸気すなわちスチームの吹き付けと電気ヒーターによる加熱機能とにより、衣類等のアイロン掛け対象物に存在するシワやスジ等を取り除いて折り目を整え整形するためのスチームアイロンの構成に関する。
【背景技術】
【０００２】
一般にスチームアイロン等で衣類等の対象物にアイロンを掛けることは広く行われているが、特にアイロン掛けに慣れていない初心者や未熟練者等がアイロン掛けすると、アイロン掛けによって逆に対象物に意図しない新たなシワやスジ等が付け加わることがある。
この新たに付け加わったシワ等は再度アイロン掛けしても容易には消すことができないという問題があるが、従来技術のアイロンは底面ベース２が金属平面から成る一体型であり、アイロン掛けの途中段階で対象物にシワ発生の有無を確認するための点検（小）窓３が組み込まれていないため、この問題を避けることができなかった。
【先行技術文献】
【特許文献】
【０００３】
【特許文献１】既存のスチームアイロンとしては以下の特許事例のように従来から種々のタイプのものが多数開発されているが、アイロン掛けの前段階で生じるシワの有無を点検できる（小）窓３を有する物は存在しない。例えば、特許出願平１０−１７５５４４〜特許公開２０００−５４９７「アイロン」、特許出願平１０−３６９１６６〜特許公開２０００−１８９６９８「スチームアイロン」、特許出願２０００−２９３５６７〜特許公開２００２−１０２５９８「アイロン」、特許出願２００２−３０６０２１〜特許公開２００４−１３６０３４「スチームアイロン」、及び特許出願２００５−２５４８８３〜特許公開２００６−６８５３２「容器を満たすための開口部を一体としたハンドルを備えたアイロン」等などがあるが、これらを含む多数の特許事例においてアイロン掛けの前段階で意図しないシワ等の発生有無を確認できる窓３を有する事例は開発されていない。
【非特許文献】
【０００４】
【非特許文献１】ただし、アイロン掛けの際に新たにシワやスジ等が発生したか否かを確認できるアイロンとして、インターネット情報では「Ｂ−ＩＲＯＮ７２６  Ｔｒａｎｓｐａｒｅｎｔ  Ｉｒｏｎ」という名称で鏝（こて）状のアイロン全体が強化ガラスで構成され、その強化ガラス本体内部に電気ヒーターが埋め込まれて構成された海外事例がある。しかし、この事例では、ヒーター加熱によるアイロン掛け機能はあるものの、本体内にスチーム噴射機能が組み込まれておらず、シワ等をのばす効果は万全ではない。これに対し本発明では、アイロン掛け前段部においてスチームのシワ除去機能により対象物のシワをのばした後で、新たに意図しないシワ等が発生していないかを確認して、後段部において主に加熱処理によりシワを除去して整形するアイロン掛けができるというメリットを有する。
【発明の概要】
【発明が解決しようとする課題】
【０００５】
衣類等のアイロン掛けにおいて、アイロン掛けの初期・前段階等で意図しないシワやスジ等が新たに付け加わって、それがアイロン掛けの後段階でヒーター加熱によって拡大したり固定化されると、その部分を再度アイロン掛けし直しても、そのシワ等を取り除くのは容易ではないという問題があった。
そのため本発明は下記手段によりこの問題を解決し、アイロン掛け作業の全体で衣類等のシワのばし整形を完遂することを特徴とする。
【課題を解決するための手段】
【０００６】
本発明では、衣類等のアイロン掛けにおいてアイロン掛けの前段階２ａで意図しないシワ等が新たに発生して付加された場合に、それが拡大したり固定化される前に速やかに発見して対処できるように、アイロン本体の中間（中）央部に透明強化ガラスや耐熱プラスチック等で構成するシワ有無点検用の（小）窓３を設ける。また、必要に応じて点検窓３の片横・低所に照射ライト５を配して新たに発生するシワ（もしくはその影）の発見を容易化することにより、前段から（中）央部および後段２ｂでの主加熱による整形処理までのアイロン掛け作業の全体でシワ等をのばして整形する。
【０００７】
即ち、本発明のスチームアイロンは通常のアイロン掛け作業を以下の３段階（処理）に分けて構成するものであり、
１．最初の前段部２ａでは、主にスチーム噴射効果により衣類等の対象物に付いているシワやスジ等をのばし、
２．次の中間（中）央部では、前記「１．の前段処理において意図しないシワやスジ等が新たに付け加わっていないか」を点検窓３で目視点検により確認し、
３．最後の後段２ｂ処理では、改めて補助的にスチームを噴射するとともに、ヒーターで主加熱処理を加える、
ことにより対象物の乾燥を促進するとともに折り目等を整えてアイロン掛けを完遂する。
【発明の効果】
【０００８】
本発明では、衣類等のアイロン掛けにおいてアイロン掛けの前段階で新たにシワ等が発生して付加された場合、それが拡大したり固定化される前にアイロン本体の中間（中）央部に透明強化ガラスや耐熱プラスチック等で構成する（小）窓３で早期に発見して対処できるため、前段から点検窓部および後段までのアイロン掛け作業の全体でシワ等をのばして整形することが容易となる。
なお、面積の小さい対象部に対してアイロン掛けする場合等では前段２ａ部分のみでアイロン掛けすることがあるため、前段部にはスチーム吹き出しのみならず、ヒーター加熱整形機能も付与することが望ましい。
【図面の簡単な説明】
【０００９】
【図１】第１図は、アイロン掛け対象物に意図しないシワ等が付加されていないかを確認できる点検（小）窓３を有する本発明の全体斜視図である。
【図２】第２図は、本発明の側面・断面図である。
【図３】第３図は、本発明の平面図である。
【図４】第４図は、本発明の底面図である。
【図５】第５図は、本発明に類似の他の変形実施例を示す底面図である。
【発明を実施するための形態】
【００１０】
衣類等のアイロン掛けにおいて、その前段階で意図しないシワやスジ等が新たに付け加わった場合、それが拡大したり固定化される前に速やかに発見して対処できるように、アイロン底面ベース２の前段処理部２ａにスチーム噴射機能と電気ヒーターによる加熱機能を構成し、次いで、アイロン本体の中間（中）央部に透明強化ガラスや耐熱プラスチック等で構成するシワ有無点検（小）窓３を設け、また、必要に応じてその窓の片横・低所に照射ライト５を配して新たに発生するシワ（影）等の早期発見を容易化し、さらに、アイロン後段部２ｂにもスチーム噴射孔と電気ヒーター主加熱機能を設けることにより、アイロン掛けの前段から点検窓部および後段までの全段階を通してシワのばし整形効果を最大限化する。
【００１１】
アイロン底面ベース２の前段２ａ部と後段２ｂ部との連結部６の内部には前段２ａ内部の電気ヒーターへ送電するための電気配線や、後段内部のスチームアイロン本体部分で発生したスチームを前段側へ送気するためのパイプや通路等の機構を設ける。前段２ａ部と後段２ｂ部におけるスチーム噴射口の直径やスチーム噴射量、及びヒーター加熱量の付与割合は種々であるが、後段２ｂ部においては乾燥と整形を兼ねるヒーター加熱量の割合は前段２ａ部よりも大きいことが望ましい。
なお、前段２ａにおいてスチーム（湿気、温度）吹付けによるシワのばし効果のみを目的とする場合は、前段部に整形のための加熱用電気ヒーターは不要である。
【００１２】
前段２ａ部で新たにシワ等が発生したか否かを目視で点検・確認するための（小）窓３の位置は、前段２ａと後段２ｂの間でそれらの長さで決まるため、必ずしもアイロンの中央部に位置する必要はない。点検・確認窓３は強化ガラスや耐熱プラスチック材料等で肉厚の単一層もしくは複数層（上下２枚等）で構成するとともに、点検窓３周りの凹凸等によりアイロン掛け対象物に新たなシワ等が発生しないように、（中）央部の窓３最下面は底面ベース２ａ、２ｂの最下面と同一平面で底面全体を平らに構成し、さらに、新たなシワ（もしくはその影）の発生の有無を点検し易くするために、必要に応じて点検窓の側面・低所（第３図、平面図の進行方向右側）等に少なくとも一方向からの照射ライト５を設ける。
また、本発明のスチームアイロン本体（全長）を小型で構成する場合は、シワの発生有無点検・確認窓３はアイロン進行方向に対し直角の方向で細長く幅広く点検できるように構成することが望ましい。
なお、本発明の類似実施例として、後述図５の楕円形実施例のように前段・後段（もしくは左右）の両方でスチームを発生して噴射させることも可能であり、さらに、本発明のアイロン底面全体を円形で構成する場合には、方向性を問わずに前後左右へ移動できるアイロン掛けが可能となる。
【実施例】
【００１３】
本発明はアイロン本体の底面ベース２を「主にシワ等をのばし処理する底面ベース前段部、２ａ」と、「シワ発生の有無を確認する点検（小）窓部、３」、及び「主に加熱整形する後段部、２ｂ」の３段階に分けて構成することを特徴とする。図１から図４にかけて本発明「点検窓付きスチームアイロン」の基本実施例を示したが、本発明の実施例はそれらに止まらない。本発明類似の他の実施例として、スチームアイロン本体部分を楕円とし、シワ有無確認窓を円形とした代表実施例を図５に示す。
【００１４】
前段部でのシワのばし処理部と（中）央部でのシワ発生有無の点検確認窓、及び後段での主加熱整形を特徴とするアイロン本体において、それぞれの段階の面積比率やそれらの形状、及び前段と後段におけるスチーム噴霧の比率等には種々の変形が考えられる。
（中）央部のシワ点検窓３は、基本的には肉厚の透明構造体一枚もので構成することがシワ発生有無の点検の際に視認性が良いが、底部と上部の２枚で間に空間を挟んで構成することも可能である。
別実施案として、シワ点検窓３部分の肉厚を大きく構成し、その透明構造体の内部自体にも電気ヒーターやスチーム送気管を組み込んでシワ取り機能と加熱整形機能とを付加することも可能である。
【００１５】
また、アイロン前段部２ａ本体を厚肉の透明強化ガラスや耐熱プラスチック等で構成し、その内部に電気ヒーターやスチームの通路・管等を設けてスチームアイロン機能を持たせれば、アイロンの中間（中）央部にシワ有無点検（小）窓３を設けなくても、前段部全体で意図しない新たなシワ等が発生しないか否かを点検しながら、前段部２ａと後段２ｂと２段階でのアイロン掛け作業が可能となる。
【産業上の利用可能性】
【００１６】
家庭用や工業用のアイロン掛け作業において、特にアイロン掛けに慣れていない初心者や未熟練者を対象に、本発明は衣類等のシワ取りと加熱整形とを目的としたアイロン掛け作業を容易化するものであり、アイロン掛け作業の全般において広範に有効である。
【符号の説明】
【００１７】
「１」はスチームアイロンの全体・本体、
「２」はスチーム吹付けとヒーター加熱処理するための底面ベース、「２ａ」は底面ベース２の前段処理部分、「２ｂ」は底面ベース２の後段処理部分、
「３」はシワの有無を確認するための点検（小）窓、
「４」はアイロン本体の把持部、
「５」は照射ライト、
「６」は底面ベース２の前段２ａと後段２ｂとの連結部、
「７」はスチーム吹き出し部
【図１】
2015008993.tif 000003
【図２】
2015008993.tif 000004
【図３】
2015008993.tif 000005
【図４】
2015008993.tif 000006
【図５】
2015008993.tif 000007